(57)【要約】【課題】エコーキャンセラ単体、或いはエコーキャンセラが組み込まれた通信端末装置の性能を客観的かつ定量的に評価できる評価試験装置を提供する。【解決手段】エコーリターンパスの遅延量とインパルス応答を自在に設定する入力設定部と、かかる遅延量とインパルス応答に基づいて既知のエコーを生成するエコー生成部を設け、該エコーとエコーキャンセル処理後の音声信号の電力相対比を求めてエコーキャンセラの性能評価指標とする。また、エコーキャンセラの近端側の音声信号と、エコーキャンセル処理後の音声信号を所定の客観的通話品質評価方法に基づいて評価してエコーキャンセラの性能評価指標とする。上記の性能評価試験においてエコーリターンパスのインパルス応答を白色雑音を用いて求めるようにしても良い。【選択図】　図１
2004146911.tif 000002
【特許請求の範囲】
【請求項１】
第１の試験信号をエコーキャンセラの遠端入力に供給して、前記エコーキャンセラの遠端出力信号を用いて前記エコーキャンセラの性能を評価する評価手段を含むエコーキャンセラ性能評価試験装置であって、
エコーリターンパス遅延量とエコーリターンパス・インパルス応答特性を調整自在に設定する設定手段と、
該設定されたエコーリターンパス遅延量及びエコーリターンパス・インパルス応答特性に基づき前記エコーキャンセラの近端出力信号に対する畳み込み演算を行い疑似エコーを生成してこれを前記エコーキャンセラの近端入力に供給するエコー生成手段と、を含むことを特徴とするエコーキャンセラ性能評価試験装置。
【請求項２】
第２の試験信号を前記疑似エコーに加算して前記エコーキャンセラの近端入力に供給するする加算手段を更に含むことを特徴とする請求項１に記載のエコーキャンセラ性能評価試験装置。
【請求項３】
前記第２の試験信号の不存在時には、前記評価手段が前記エコーキャンセラの遠端出力信号と前記疑似エコーとの各々の電力を比較して前記エコーキャンセラの評価をすることを特徴とする請求項２に記載のエコーキャンセラ性能評価試験装置。
【請求項４】
前記第２の試験信号の存在時には、前記評価手段が前記エコーキャンセラの遠端出力信号と前記第２の試験信号とを所定の客観的通話品質評価方法より比較して前記エコーキャンセラの評価をすることを特徴とする請求項２に記載のエコーキャンセラ性能評価試験装置。
【請求項５】
前記設定手段は、前記エコーキャンセラの近端出力信号を外部のエコーリターンパスに中継して前記エコーリターンパスを経た信号を受信し、該受信信号と前記近端出力信号との相互相関演算を行って前記エコーリターンパスの遅延量とインパルス応答特性を設定することを特徴とする請求項１に記載のエコーキャンセラ性能評価試験装置。
【請求項６】
前記相互相関演算の実行時に前記第１の試験信号として白色雑音を用いることを特徴とする請求項５に記載のエコーキャンセラ性能評価試験装置。
【請求項７】
前記エコーキャンセラの近端入力信号から前記疑似エコーを減算して第２の音声信号を抽出する減算手段を更に含むことを特徴とする請求項６に記載のエコーキャンセラ性能評価試験装置。
【請求項８】
前記第２の試験信号の不存在時には、前記評価手段が前記エコーキャンセラの遠端出力信号と前記疑似エコーとの各々の電力を比較して前記エコーキャンセラの評価をすることを特徴とする請求項７に記載のエコーキャンセラ性能評価試験装置。
【請求項９】
前記第２の試験信号の存在時には、前記評価手段が前記エコーキャンセラの遠端出力信号と前記第２の試験信号とを所定の客観的通話品質評価方法より比較して前記エコーキャンセラの評価をすることを特徴とする請求項７に記載のエコーキャンセラ性能評価試験装置。
【発明の詳細な説明】
【０００１】
【発明の属する技術分野】
本発明は、エコーキャンセラの性能評価試験装置に関する。
【０００２】
【従来の技術】
従来の公衆網のように伝搬遅延時間のごく小さいネットワークでは、ネットワーク内の４線２線変換部で、或いは通話者のハンドセットにおける受話側から発話側への回り込みでエコーが発生しても、遅延が数ｍｓ単位であるため通話に支障が生ずることはなかった。しかしながら、昨今、インターネットのネットワークを利用した音声通信（ＶｏＩＰ；Ｖｏｉｃｅ　ｏｖｅｒ　Ｉｎｔｅｒｎｅｔ　Ｐｒｏｔｏｃｏｌ）（以下、単に“ＶｏＩＰ通信”と称する）が普及しつつある。かかるネットワークにおいては、伝搬遅延時間が１００ｍｓ単位で発生するおそれがあり、エコーによる通話品質の劣化が大きな問題となる。
【０００３】
このため、ＶｏＩＰ通信に用いられる通信端末装置においては、エコーを除去するためのエコーキャンセラが必須となり、その性能がＶｏＩＰ通信用の端末装置の通話品質を左右するものとなっている。そして、エコーキャンセラ単体の性能はもちろんのこと、通信端末装置内に組み込まれたエコーキャンセラの性能を装置全体として、客観的かつ定量的に評価し得る評価試験装置が必要となる。
【０００４】
しかし、従来は、エコーキャンセラの性能を通信端末装置全体として評価が可能な評価試験装置、或いは評価方法が確立されていなかった。従来、エコーキャンセラ単体の性能評価に関しては、例えば、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ　Ｔｅｌｅｃｏｍｍｕｎｉｃａｔｉｏｎ　Ｓｔａｎｄａｒｄｉｚａｔｉｏｎ　Ｓｅｃｔｏｒ；国際電気通信連合・電気通信標準化部門）が勧告しているＧ．１６５やＧ．１６８等の方式を用いて測定・評価する方法がある。しかしながら、かかる方式では評価用の試験信号として実際の音声信号を用いることができない。さらに、通信端末装置内に組み込まれたエコーキャンセラの性能を客観的に評価する評価試験装置も存在していない。それ故、エコーキャンセラ単体の性能、或いは通信端末装置内におけるエコーキャンセラの性能を、実際の音声信号を用いて客観的に評価できる評価試験装置が望まれていた。
【０００５】
なお、従来から行われていたエコーキャンセラ単体の性能評価方法に関しては、前述の如く、ＩＴＵ−ＴのＧ．１６５やＧ．１６８等の勧告によって、いわゆる当業者の間で公然に知られており、かつ公然に実施されているものである。それ故、本明細書においては、かかる従来技術を特定するための先行技術文献等の情報資料の開示を省略する。
【０００６】
【発明が解決しようとする課題】
本発明は、エコーキャンセラ単体の性能、或いは通信端末装置に内蔵されたエコーキャンセラの性能を客観的に評価できる評価試験装置を提供することを目的とする。
【０００７】
【課題を解決するための手段】
請求項１に記載の発明は、第１の試験信号をエコーキャンセラの遠端入力に供給して、前記エコーキャンセラの遠端出力信号を用いて前記エコーキャンセラの性能を評価する評価手段を含むエコーキャンセラ性能評価試験装置であって、
エコーリターンパス遅延量とエコーリターンパス・インパルス応答特性を調整自在に設定する設定手段と、該設定されたエコーリターンパス遅延量及びエコーリターンパス・インパルス応答特性に基づき前記エコーキャンセラの近端出力信号に対する畳み込み演算を行い疑似エコーを生成してこれを前記エコーキャンセラの近端入力に供給するエコー生成手段とを含むことを特徴とする。
【０００８】
【発明の実施の形態】
先ず、本発明による実施の形態の概略を説明する。
本発明による実施の形態は、評価試験に供せられるエコーキャンセラに接続されたエコーリターンパスのインパルス応答を明らかなものとし、これに基づいて遠端側に回り込むエコーを求め、エコーキャンセラを通過させるべき近端側話者の音声信号と、除去すべきエコーとを識別する。そして、エコーキャンセラにとって遠端側話者からの音声信号のみが入力されている状態（以下、単に“シングルトークモード”と称する）におけるエコーキャンセラの性能を、明らかとなったエコーとエコーキャンセラの遠端出力からの音声信号との電力相対比によって客観的かつ定量的に評価するものである。
【０００９】
また、本発明による他の実施の形態は、エコーキャンセラにとって遠端側話者からの音声信号と、近端側話者からの音声信号が同時に入力されている状態（以下、単に“ダブルトークモード”と称する）におけるエコーキャンセラの性能を、近端側話者からの音声信号とエコーキャンセラの遠端出力からの音声信号を、ＩＴＵ−Ｔ勧告Ｐ．８６１等の公知評価方法の入力信号として用いることでエコーキャンセラの性能を客観的かつ定量的に評価するものである。
【００１０】
本発明の実施の形態による第１の実施例を以下に説明する。
第１の実施例によるエコーキャンセラ性能評価試験装置の構成を図１に示す。また、同図中の性能評価対象となる供試エコーキャンセラ単体の概略構成を図２に示す。
図１に示されるブロック図において、先ず、スイッチＳＷ１及びＳＷ２は、共にオフに設定されている。スイッチＳＷ１、ＳＷ２は、例えば、バイポーラトランジスタやＦＥＴ等の半導体素子で構成されたスイッチング素子である。
【００１１】
図１において、性能評価対象となるエコーキャンセラ１００の遠端側入力端子Ｒｉｎには、音声信号Ａが入力される。また、エコーキャンセラ１００の近端側出力端子Ｒｏｕｔからは、音声信号Ａ’が出力され、同信号は、エコー生成計算回路１０３に入力される。
一方、エコーリターンパス遅延量設定回路１０１は、エコーリターンパスにおける遅延量Ｔを設定する回路であり、同回路で設定された遅延量Ｔがエコー生成計算回路１０３に入力される。また、インパルス応答波形入力回路１０２は、図３Ａに示すような、エコーリターンパスにおける任意のインパルス応答波形が入力される回路であり、かかる応答波形に対応するインパルス応答Ｈを生成してこれをエコー生成計算回路１０３に出力するものである。
【００１２】
エコーリターンパス遅延量設定回路１０１、インパルス応答波形入力回路１０２、及びエコー生成計算回路１０３から成る部分は、エコーキャンセラ１００の遠端側に回り込むエコーを擬似的に生成するものである。即ち、エコー生成計算回路１０３は、音声信号Ａ’から、遅延量Ｔ、インパルス応答Ｈなる入力条件に基づいて擬似的なエコーＥを生成する。
【００１３】
エコー生成計算回路１０３は、図３Ｂに示す如く、先ず、図３Ａのインパルス応答Ｈについて遅延量Ｔを付加してインパルス応答Ｈ’を生成する。そして、音声信号Ａ’とインパルス応答Ｈ’について、以下の第１式に示す畳み込み演算を行うことにより擬似的なエコーＥを算出する。
【００１４】
【数１】
2004146911.tif 000003
因みに、第１式において、Ｍはインパルス応答の全サンプル数を示すものであり、ｎはサンプリングデータの番号（時刻に相当）を示すものである。
かかる畳み込み演算によって求められたエコーＥは、加算回路１０４及びメモリ回路１０５へ供給される。加算回路１０４は、本来エコーキャンセラ１００を通過する音声信号に相当する音声信号Ｂに上記のエコーＥを加算して、音声信号ＢにエコーＥが重畳された音声信号Ｃを生成する回路である。この音声信号Ｃは、エコーキャンセラ１００の近端側入力端子Ｓｉｎに入力され、その内部でエコーキャンセル処理が施された後、エコーキャンセラ１００の遠端側出力端子Ｓｏｕｔから音声信号Ｄとして出力される。
【００１５】
また、メモリ回路１０５は、例えば、ＲＡＭ等の半導体メモリやＨＤＤ等のディスクメモリなどの記憶媒体から構成されており、前述のエコーＥに関するデータを記憶しておく部分である。
レベル測定回路１０６は、音声信号Ｂの信号レベルを測定して、その測定値に応じてスイッチＳＷ１、ＳＷ２に対する制御信号を生成する回路である。即ち、レベル測定回路１０６は、その測定値が予め定めたダブルトークモードと、シングルトークモードとのモード判別閾値（例えば、−４０ｄＢｍ０）よりも大きな場合、ダブルトークモードと判定して、スイッチＳＷ１をオン、スイッチＳＷ２をオフとする制御信号を各スイッチへ供給する。これによって、音声信号Ｂと音声信号Ｄが客観的通話品質評価計算回路１０７に供給される。一方、上記測定値がモードの判別閾値よりも小さな場合、レベル測定回路１０６は、シングルトークモードと判定してスイッチＳＷ１をオフ、スイッチＳＷ２をオンとする制御信号を各スイッチへ供給する。これによって、音声信号Ｄとメモリ回路１０５に記憶されたエコーＥがシングルトークモード通話品質評価計算回路１０８に供給される。
【００１６】
すなわち、客観的通話品質評価計算回路１０７は、ＩＴＵ−Ｔ勧告Ｐ．８６１等の客観的通話品質評価方法を用いて、エコーキャンセラ１００を用いた場合の通話品質を評価する。この場合、ＩＴＵ−Ｔ勧告Ｐ．８６１の参照音声信号に音声信号Ｂ、被評価音声信号として音声信号Ｄが用いられることは言うまでもない。即ち、客観的通話品質評価計算回路１０７は、上記の評価方法によって評価値ＷＱを求め、かかる評価値ＷＱがダブルトークモードにおける供試エコーキャンセラの性能を表す指標となる。
【００１７】
一方、シングルトークモード通話品質評価計算回路１０８は、エコーＥと、エコーキャンセラ１００におけるエコー除去処理後の音声信号Ｄを入力信号として、かかる２つの信号の電力の相対比を以下に示す第２式に基づいて算出する。
【００１８】
【数２】
2004146911.tif 000004
因みに、第２式において、Ｌは、会話形式が判断可能な時間長（例えば、３秒間程度）に亘る音声信号のサンプル数を示すものであり、ｎはサンプリングデータの番号（時刻に相当）を示すものである。
【００１９】
そして、第２式に示す電力相対比Ｘが、シングルトークモードにおける供試のエコーキャンセラの性能を間接的に表す指標となる。つまり、統計的な経験則を用いて相対比Ｘが、αｄＢ程度であれば十分な通話品質が確保されるものとし、βｄＢ程度あればエコーキャンセラの機能が不十分であると判定するのである。
例えば、図４の表に示すような数値設定を行って、かかる判定を行うようにしても良い。なお、図４に示される表では、α＝３５ｄＢ、β＝０ｄＢなる設定とされているが、本発明の実施の形態は、かかる事例に限定されるものではない。また、電力相対比Ｘとエコーキャンセラの状態との関係についても、図４の表に示す事例に限定されるものではない。
【００２０】
以上説明した如く、本実施例では、エコーキャンセラに既知のインパルス応答を供給することにより、エコーキャンセラ単体の性能を信号電力相対比Ｘと、ＩＴＵ−Ｔ勧告Ｐ．８６１等で標準化されているの客観的通話品質評価方法から、客観的かつ定量的に評価することができる。また、ＩＴＵ−Ｔ勧告Ｇ．１６５やＧ．１６８では困難であった実際の音声信号を用いたエコーキャンセラの評価試験も可能となる。
【００２１】
次に、本発明の実施の形態による第２の実施例を以下に説明する。
第２の実施例によるエコーキャンセラ性能評価試験装置の構成を図５に示す。同図からも明らかな如く、本実施例においては、エコーキャンセラ単体のみならず、エコーリターンパスを含んだ通信端末装置全体の性能評価試験を行うことができる。なお、同図中の性能評価対象となるエコーキャンセラ単体の概略構成は、前述した第１の実施例における図２に示すものと同様とする。
【００２２】
先ず、図５に示されるブロック図において、スイッチＳＷ１はオン、スイッチＳＷ２乃至ＳＷ４はオフに設定されているものとする。なお、スイッチＳＷ１乃至ＳＷ４は、例えば、バイポーラトランジスタやＦＥＴ等の半導体素子で構成されたスイッチング素子である。
また、図５において、白色雑音発生回路２０１は、例えば、ダイオードの逆方向電流に重畳される熱雑音を利用した白色雑音発生回路であり、スイッチＳＷ１を介して、白色雑音ｗを後述する音声符号化器設定回路２０２に供給する。
【００２３】
音声符号化器設定回路２０２は、供試の通信端末装置２００に用いられている音声符号化器２２と同じ符号化規格の機能を備えており、通信端末装置２００に用いられているものと同規格の符号化器が設定される。即ち、音声符号化器設定回路２０２は、入力された信号を通信端末装置２００に受入可能な信号形式に符号化してこれを同装置に供給する働きを担う。
【００２４】
図５に示される事例の場合、音声符号化器設定回路２０２は、白色雑音発生回路２０１からスイッチＳＷ１を介して入力された白色雑音ｗに所定の符号化を施し、パケット信号ＰＲを生成するとこれを通信端末装置２００の音声復号化器２１に供給する。なお、白色雑音ｗが音声符号化器設定回路２０２に入力されている期間は、エコーリターンパスにおける正確なインパルス応答を測定すべく、図５における２線側の電話器からの音声信号ｂの入力が禁止されることは言うまでもない。
【００２５】
インパルス応答測定回路２０３は、上記の白色雑音ｗが通信端末装置２００を通過してエコーキャンセラ２０のＲｏｕｔに出力された白色雑音ｗ’と、本実施例による評価試験装置に接続された４線−２線変換回路２３を経由して回り込んでくる白色雑音ｗ’のエコーｅｗ’とを入力として、エコーリターンパスにおけるインパルス応答Ｈを求める回路である。従って、インパルス応答測定回路２０３は、白色雑音を用いてインパルス応答を求めるものであれば如何なる形式のものでも良く、例えば、上記の白色雑音ｗ’とエコーｅｗ’とを入力として、これらに公知の相互相関演算を行う回路であれば良い。
【００２６】
インパルス応答測定回路２０３で算出されたインパルス応答Ｈは、メモリ回路２０４に記憶される。メモリ回路２０４は、ＲＡＭ等の半導体メモリでも良いし、ＨＤＤメモリ等のディスク記憶媒体でも良い。
次に、図５に示されるブロック図において、スイッチＳＷ１がオフとされ、スイッチＳＷ２はオンにされる。なお、スイッチＳＷ３、ＳＷ４に関してはオフの状態が維持される。
【００２７】
かかる動作に伴って、音声符号化器設定回路２０２には白色雑音ｗに替わって音声信号ａが入力され、この音声信号ａが音声符号化器設定回路２０２によって符号化されたパケット信号ＰＲとして通信端末装置２００に供給される。そして、かかる信号が通信端末装置２００に内蔵されたエコーキャンセラ２０の近端側出力端子Ｒｏｕｔから音声信号ａ’として出力される。
【００２８】
一方、畳み込み演算回路２０５は、メモリ回路２０４に記憶されているインパルス応答Ｈと、通信端末装置２００から出力された音声信号ａ’とを入力として以下の第３式に示す畳み込み演算を行う回路である。
【００２９】
【数３】
2004146911.tif 000005
因みに、第３式において、Ｍはインパルス応答の全サンプル数を示すものであり、ｎはサンプリングデータの番号（時刻に相当）を示すものである。
かかる畳み込み演算を行うことによって、エコーキャンセラの遠端側に回り込むエコーｅが生成される。
【００３０】
畳み込み演算回路２０５において算出されたエコーｅは、減算回路２０６及びメモリ回路２０７に供給される。ここで、減算回路２０６は、４線−２線変換回路２３の２線側に接続された、例えば、電話器等の端末機器からの音声信号ｂに音声信号ａ’のエコーが重畳された信号ｅｂから、畳み込み演算回路２０５で生成されたエコーｅを減算する回路である。因みに、４線−２線変換回路２５は、例えば、３巻線変成器と平衡回路網とから成るいわゆるハイブリット回路であり、信号をその伝送方向に応じて４線−２線に変換する回路である。減算回路２０６における減算処理によって、本来、遠端側話者に伝送されるべき音声信号ｂのみを抽出することができる。
【００３１】
また、メモリ回路２０７は、畳み込み演算回路２０５において算出されたエコーｅを記憶する記憶回路であり、前述のメモリ回路２０４と同様に、ＲＡＭ等の半導体メモリでも良いしＨＤＤメモリ等のディスク記憶媒体でも良い。
レベル測定回路２０８は、減算回路２０６から出力される音声信号ｂの信号レベルを測定して、その測定値に応じて各々のスイッチＳＷ１乃至ＳＷ４に対する制御信号を生成する回路である。即ち、レベル測定回路２０８は、その測定値が予め定めたダブルトークモードと、シングルトークモードとのモード判別閾値（例えば、−４０ｄＢｍ０）よりも大きな場合、ダブルトークモードと判定して、スイッチＳＷ３をオン、その他のスイッチＳＷ１、ＳＷ２、ＳＷ４をオフとする制御信号を各スイッチへ供給する。これによって、音声信号ｂが客観的通話品質評価計算回路２１１に供給される。一方、上記測定値がモードの判別閾値よりも小さな場合、レベル測定回路２０８は、シングルトークモードと判定してスイッチＳＷ４をオン、スイッチＳＷ１、ＳＷ２、ＳＷ３をオフとする制御信号を各スイッチへ供給する。これによって、メモリ回路２０７に記憶されたエコーｅがシングルトークモード通話品質評価計算回路２１２に供給される。
【００３２】
一方、音声復号化器設定回路２０９は、供試の通信端末装置２００に用いられている音声復号化器２１と同じ復号化規格の機能を備えており、通信端末装置２００に用いられているものと同規格の復号化器が設定される。即ち、音声復号化器設定回路２０９は、通信端末装置２００の音声符号化器２２から符号化されて出力されるパケット信号ＰＳを復号化して、音声信号ｓを再生する機能を有する。
【００３３】
また、レベル調整回路２１０は、供試の通信端末装置２００内部のレベル調整器２によって調整された信号レベルを相殺すべく、再生された音声信号ｓを増幅させ若しくは減衰させる回路である。
前述の如く、ダブルトークモードの場合、スイッチＳＷ３がオンとなっているので、レベル調整回路２１０によりレベル調整が施された音声信号ｓ’は客観的通話品質評価計算回路２１１に供給される。
【００３４】
客観的通話品質評価計算回路２１１は、上記の音声信号ｂを参照音声信号とし、音声信号ｓ’を被評価音声信号として用い、ＩＴＵ−Ｔで勧告されているＰ．８６１などの公知となっている客観的通話品質評価方法に基づいて評価値ＷＱを算出する。そして、かかる評価値ＷＱがダブルトークモードの場合における、供試のエコーキャンセラ２０、或いは供試の通信端末装置２００の性能を示す指標となる。
【００３５】
一方、シングルトークモードの場合は、スイッチＳＷ４がオンとなっているので、音声信号ｓ’とエコーｅとがシングルトークモード通話品質評価計算回路２１２に入力される。シングルトークモード通話品質評価計算回路２１２は、エコーｅと、エコー除去処理後の音声信号ｓ’を入力信号として、かかる２つの信号の電力の相対比を以下に示す第４式に基づいて算出する。
【００３６】
【数４】
2004146911.tif 000006
因みに、第４式において、Ｌは、会話形式が判断可能な時間長（例えば、３秒間程度）に亘る音声信号のサンプル数を示すものであり、ｎはサンプリングデータの番号（時刻に相当）を示すものである。
【００３７】
上記の第４式に示す電力相対比Ｘが、シングルトークモードにおける供試のエコーキャンセラ２０、或いは通信端末装置２００の性能を間接的に表す指標となる。つまり、統計的な経験則を用いて電力相対比Ｘが、αｄＢ程度であれば十分な通話品質が確保されるものとし、βｄＢ程度あればエコーキャンセラの機能が不十分であると判定するのである。
【００３８】
例えば、図４の表に示すような数値設定を行って、かかる判定を行うようにしても良い。なお、図４に示される表では、α＝３５ｄＢ、β＝０ｄＢなる設定とされているが、本発明の実施の形態はかかる事例に限定されるものではない。また、電力相対比Ｘとエコーキャンセラの状態との関係についても、図４の表に示す事例に限定されるものではない。
【００３９】
以上説明した如く、本実施例では、エコーキャンセラに接続されるエコーリターンパスのインパルス応答を測定することにより、エコーキャンセラ単体の性能とエコーキャンセラを組み込んだ通信端末装置の性能の両方を、信号電力相対比Ｘと、ＩＴＵ−Ｔ勧告Ｐ．８６１等で標準化されている客観的通話品質評価方法から客観的かつ定量的に評価することができる。また、従来、ＩＴＵ−Ｔ勧告Ｇ．１６５やＧ．１６８等の方式では困難であった実際の音声信号を用いた評価試験も可能となる。
【００４０】
なお、第１及び第２の実施例は、いずれもハードウェアによる構成で説明を行ったが、本発明の実施の形態は、かかる事例に限定されるものではない。即ち、前述した各実施例の構成要素の一部、或いは全部を、例えばソフトウェアを用いて機能を達成する構成要素に置き換えた構成としても良い。
【図面の簡単な説明】
【図１】図１は、本発明によるエコーキャンセラ性能評価試験装置の第１の実施例の構成を示すブロック図である。
【図２】図２は、図１のブロック図における供試エコーキャンセラの構成を示すブロック図である。
【図３】図３は、図１のブロック図におけるインパルス応答波形入力回路１０２の出力、及びエコー生成計算回路１０３で生成されるインパルス応答の概要を示すタイミングチャートである。
【図４】図４は、シングルトークモードにおける電力相対比Ｘと、エコーキャンセラ性能との対応を示す比較対応表である。
【図５】図５は、本発明によるエコーキャンセラ性能評価試験装置の第２の実施例の構成を示すブロック図である。
【符号の説明】
１００　エコーキャンセラ
１０１　エコーリターンパス遅延量設定回路
１０２　インパルス応答波形入力回路
１０３　エコー生成計算回路
１０４　加算回路
１０５，２０４，２０７　メモリ回路
１０６，２０８　レベル測定回路
１０７，２１１　客観的通話品質評価計算回路
１０８，２１２　シングルトークモード通話品質評価計算回路
２００　通信端末装置
２０１　白色雑音発生回路
２０２　音声符号化器設定回路
２０３　インパルス応答測定回路
２０５　畳み込み演算回路
２０６　減算回路
２０９　音声復号化器設定回路
２１０　レベル調整回路
【図１】
2004146911.tif 000007
【図２】
2004146911.tif 000008
【図３】
2004146911.tif 000009
【図４】
2004146911.tif 000010
【図５】
2004146911.tif 000011